Podtech/llm-jp-corpus-v4-ja_patent huggingface dataset:
(57)【要約】      （修正有）【課題】従来使用している子守帯に、要、不要に応じ容易に着脱できる子守帯専用の防寒着を提供する。【解決手段】防寒着上部の襟左右両端に、先端に接続部を有した紐を設け、下部左右にポケット５を形成し、該ポケットに、先端に接続部８を有した紐７を設け、各紐は接続部を介して子守帯の紐二に連結し、子守帯の表面に着脱可能に重ね合わせ装着する子守帯専用の防寒着である。【選択図】図２
2015148036.tif 000002
【特許請求の範囲】
【請求項１】
防寒着（２）の上部左右に紐（Ａ）を設け、その下方左右に紐通し孔（９）を設け、下方左右に紐（Ｂ）を設けた足ポケット（５）を形成し、紐（Ａ）は子守帯の紐（一）と連結し、紐（Ｂ）は、紐通し孔（９）の中を通り子守帯の紐（三）と連結し、子守帯の表面に重ね合わせ着脱可能に装着する子守帯専用防寒着。
【発明の詳細な説明】
【技術分野】
【０００１】  本発明は、冬季に小児を子守帯でおんぶや抱っこするとき、該子守帯に重ね合わせ着脱が容易で操作も簡便な子守帯専用防寒着に関するものである。
【背景技術】
【０００２】  従来、子守帯に設けた数本の紐で小児の体重を支えおんぶや抱っこする用品で、市販の品には形状が異なる種類は数種あるが、小児の体重を支える基本の仕組みは変わらない。
【発明の概要】
【発明が解決しようとする課題】
【０００３】  従来の子守帯は次のような欠点があった。
（イ）おんぶ、又は、抱っこしする小児の体重は、子守帯の上部に設けている紐が、          小児の脇下を通り人の肩と、下部に設けている紐は小児の臀部の下から股下を          通り人の腰とによって支えている。そのため、手と足は紐から外に出て垂下し          ている。
（ロ）小児の着衣が紐に引き寄せられ、手足の素肌が露出する。
（ハ）低気温になっても小児の体全体は覆われない。
本発明は、以上の問題点を解決するために発明されたものである。
【発明を解決するための手段】
【０００４】  防寒着（２）の上部の襟（３）の両端に設けた紐（Ａ）は子守帯の紐（一）と連結し、下部左右に足を挿入するポケット（５）を設け、該ポケットに紐（Ｂ）を設け、子守帯の紐（三）と連結し、子守帯（１）の表面に防寒着（２）を重ねて装着し、しかも着脱可能である。
本発明は、以上の構成によりなる子守帯専用の防寒着である
【発明の効果】
【０００５】  本発明を使用する事により、冬季に屋外でおんぶや抱っこしても、小児全体を覆って保温していて冷気の心配はない。そして、防寒着が要、不要の場合に応じ容易に着脱できる。しかもすでに子守帯でおんぶや抱っこしている状態のままでも着脱が可能で簡便であり、防寒着を装着して使用していてもその人の動作を妨げない。そして、子守帯に対して加工の必要は無い。
【図面の簡単な説明】
【０００６】
【図１】本発明の防寒着の内面の正面図
【図２】本発明の防寒着の足ポケット内側斜視図
【図３】従来の子守帯の正面説明図
【図４】本発明の使用図
【発明を実施するための形態】
【０００７】以下、本発明の実施の形態を説明する。
（イ）防寒着（２）上部の襟（３）の左右に設けた紐（Ａ）は、先端に設けたの接続部（８）を介して子守の紐（一）と連結する。
（ロ）防寒着の内面左右に手を挿入するポケット（４）を設け、該ポケットの下部左右に紐を通す孔（９）を設ける。
（ハ）防寒着（２）の内面下方位置左右に足を挿入するポケット（５）を形成し、該、両ポケットに子守帯（１）の紐（三）に接続するための紐（Ｂ）を設け、紐を通す孔（９）を通って接続部（８）を介し子守帯（１）の紐（三）に連結する。
（ニ）足ポケットの上端部は子守帯の紐（二）に吊るす。
（ホ）防寒着の紐（Ａ）（Ｂ）の先端に設けた接続部（８）は開閉自在で、子守帯の紐（一）（三）を挟み連結する。
本発明は、以上の構成よりなる。
本発明を使用する場合は、防寒着（２）の紐（Ａ）の接続部（８）を介して、子守帯（１）の紐（一）と連結する。そして、足ポケット（４）の上部を、子守帯（１）の紐（二）に折り曲げ固定して吊るし、両足ポケット（５）の紐（Ｂ）は防寒着（２）に設けている紐を通す孔（９）を通し、先端の接続部（８）を介して子守帯の紐（三）に連結し、子守帯（１）の表面に防寒着（２）を重ね合わせ、小児の手と足はポケット（４）（５）に挿入し従来と同様におんぶ、又は、抱っこする。
【符号の説明】
【０００８】  １  従来の子守帯
２  防寒着
３  襟
４  手のポケット
５  足のポケット
６  防寒着の紐（Ａ）
７  足ポケットの紐（Ｂ）
８  接続部
９  紐を通す孔
１０  子守帯の紐（一）
１１  子守帯の紐（二）
１２  子守帯の紐（三）
【図１】
2015148036.tif 000003
【図２】
2015148036.tif 000004
【図３】
2015148036.tif 000005
【図４】
2015148036.tif 000006
(57)【要約】【課題】従来の広告看板をより認知させる目的をもって表示すると共に伝えたい情報の補助を目的にした太陽電池揺動媒体装置に関する。【解決手段】太陽電池４、からの直流電圧を壁体７に取り付けてあるモーター５へ直接入力することによりクランク６を動かし軸３への揺動運動に変換する。バネ８は表示体１の重さを軽減させる。これらを箱体２の中へ収め、軸3の先端に切ってあるネジ部にナットでの抑え込みにより表示体１を取り付けたことを特徴とする。【選択図】図１
2015148659.tif 000002
【特許請求の範囲】
【請求項１】
太陽電池４からの直流電圧を壁体７に取り付けてあるモーター５へ直接入力することにより、クランク６を動かし軸３への揺動運動に変換し、バネ８は表示体１の重さを軽減させ、これらを箱体２の中へ収め、軸3の先端に切ってあるネジ部にナットでの抑え込みにより、表示体１を取り付けたことを特徴とする太陽電池揺動媒体装置。
【発明の詳細な説明】
【技術分野】
【０００１】
この発明は、従来ある広告看板をより認知させる目的をもって表示すると共に伝えたい情報の補助を目的にした太陽電池揺動媒体装置に関する。
【背景技術】
【０００２】
従来も、需要者や通行人に広告宣伝を行う看板又は通行人が進行する際の場所や方向を指し示すため広告看板は数多く使用されている。
【発明の概要】
【発明が解決しようとする課題】
【０００３】
従来のこの種の商品は、家庭で使用されている電源を使用するもの又は充電池（バッテリー）を駆動源とするのが一般的であるが、前者は設備又はその使用場所が制限され、後者は充電池（バッテリー）の制約をうけているが、この発明はこのような制限をなくすことを提案しようとするものである。
【課題を解決するための手段】
【０００４】
上記目的を達成する為に、太陽電池４からの直流電圧を壁体７に取り付けたモーター５へ直接入力することにより、クランク６を動かし軸３への揺動運動に変換する。バネ８は表示体１の重さを軽減させる。これらを箱体２の中へ収め、軸3の先端に切ってあるネジ部にナットでの抑え込みにより表示体１を取り付けたことで太陽電池揺動媒体装置を構成している。
【発明の効果】
【０００５】
この発明に係る太陽電池揺動媒体装置は、極めて小型軽量で簡単な構造でありながら太陽電池の作用で、場所を選ばず手軽に作動させることが出来る。
【図面の簡単な説明】
【０００６】
【図１】この発明の太陽電池揺動媒体装置の一実施例の側面図である。
【図２】図１に示す部分の主要部の斜視図である。
【発明を実施するための形態】
【０００７】
以下、本発明の実施の形態を図に基づいて説明する。
【実施例１】
【０００８】
図１において、２は硬質のプラスチックからなる箱体であり、軸3の先端に切ってあるネジ部にナットでの抑え込みにより、表示体１を取り付け揺動させることができる。
【０００９】
図２において太陽電池４からの直流電圧１２Ｖを壁体７に取り付けてあるモーター５へ直接入力することにより、クランク６を動かし軸３への揺動運動に変換する。バネ８は図１の表示体の重さを軽くする補助装置である。
【産業上の利用可能性】
【００１０】
本発明は、交通誘導にも利用できる。
【符号の説明】
【００１１】
１  表示体
２  箱体
３  軸
４  太陽電池
５  モーター
６  クランク
７  壁体
８  バネ
【図１】
2015148659.tif 000003
【図２】
2015148659.tif 000004
(57)【要約】      （修正有）【課題】巨大地震により津波が発生した際の沿海地域で、近くに高台とか高い建物等の避難場所の無い場合に、乗って身を守る津波避難用浮輪舟を提供する。【解決手段】円筒形の側に底を設け、且つ開閉自在に蓋７をとりつけた本体の外周壁に浮輪をとりつけたうえ、本体安定用のバランスウエートを底に納置したもの。本体の外周壁にとりつけた浮輪の浮力と、その底に納置のバランスウエートの重みとの釣り合いにより、水面において常に直立姿勢を保とうとする働きが生じる事から、津波に襲われたとき、波には流されるものの、沈没することは考えにくい事から、一般の人は勿論の事、泳げない人、体力の無い老人、幼児などの犠牲を少しでも防げる。【選択図】図４
2015120491.tif 000002
【特許請求の範囲】
【請求項１】
円筒形の側に底を設けた本体１の外周壁適宜箇所に浮輪３をとりつけこれを防護シート５で包む如く取り付け、さらに本体１の底に適宜重量のバランスウエート６を納置した上、本体１の上面に蓋７を開閉自在にとりつけた津波避難用浮輪舟。
【発明の詳細な説明】
【技術分野】
【０００１】  この発明は津波に襲われた際、近くにビルとか高台などの避難場所が無い場合に、乗って身を守る津波避難用浮輪舟に関する。
【背景技術】
【０００２】  従来、沿海地方で海抜が低く、高台や高い建物が近くに無い地域での大津波では犠牲者が多く、冬季では水に濡れての寒さとか、流されながら傷つき、又は溺れるなど高齢者のみならず、若い体力のある人にも犠牲が多かった。
【発明が解決しようとする課題】
【０００３】  そこで老若男女の誰もが使えて、形状も一般家庭の軒先とか庭などに、広い場所を要せず、常置可能な大きさで安価、いざ津波の時にそれを使用すれば、泳げない人や体力の無い病人や高齢者でも、身を守れる可能性大とした津波避難用具が強く望まれていた。
【課題を解決する為の手段】
【０００４】  本発明はその要望に応えん為のもので、以下にその一実施例について図面参照しつつ説明すれば
１、図１に示す如く、円筒形の側に底を設けた如く形状の、本体１の外周壁適宜箇所に、適宜数の浮輪とりつけ用金具２をとりつける。
２、図２に示す如く、膨張時の内径が本体１の外径にほぼ等しい浮輪３を、ロープ４等によりとりつけ用金具２を介して、本体１の外周壁に取り付ける。
３、その上で図３に示す如くの防護シート５をもって、図４に示す如く浮輪３を包む如く取り付ける。
４、こうした後に、本体１の底に鉄、或いはコンクリート製などによる適宜重量のバランスウエート６を納置する。
５、更に本体１の上面に、開閉自在の蓋７を取り付けてなる。
【発明の効果】
【０００５】イ、本発明によれば、本体１の外周壁にとりつけた浮輪３の浮力と、その底に納置のバランスウエート６の重みとの釣り合いにより、水面において常に直立姿勢を保とうとする働きが生じる事から、津波に襲われたとき、波には流されるものの、沈没することは考えにくい事から、一般の人は勿論の事、泳げない人、体力の無い老人、幼児などの犠牲を少しでも防げる。
ロ、この発明はたとえば本体１の大きさをドラム缶程度とした場合、浮輪３はショベルローダーのタイヤに内在のチューブで適したものが市販されている。これを使って試作した結果では予想通り安価に製造が出来て、しかも大人二人が同時に乗っても安定が良く、浮輪舟としての目的が充分果たせるものと確認が出来た。
ハ、我が国の沿海地域では海抜の低い所が多く、その上近くに高台等の避難場所が無い地域に住む人々の多くは、万一津波が来たら仕方がないと死をも覚悟している。しかし本心では死を避けたい事は当然、まして事の有様が理解できない幼児などが、悲惨にも苦し紛れに溺れ死ぬことなど、断じて避けねばならないことながら、従来は津波から身を守る手段を思い付かなかった為に諦めていた。本発明はこうした人々の命を助ける目的のもので、明日にも襲い起こるかも知れぬ津波を思えば、一日でも早く本発明を備えれば、万一の際に命を守れる可能性大と言える。
ニ、本発明はその構造からも安価に製造出来ることは明らか、高額な津波避難用構築物等を望めない、多くの庶民の助け舟としての効果は甚大と言える。
ホ、本発明は全体の色を赤とか黄色など鮮やかな色で塗装し、且つ波しぶきや風雨を防ぐ目的の蓋７の上面にＳＯＳと大書きすれば、津波により海に流され漂流した際、昼夜において目に付き易く生還の可能性大。
ヘ、防護シート５は厚手で丈夫なものを用いることで、他の漂流物等から浮輪３の損傷を防ぐ。
ト、本発明は長期漂流を念頭に、非常飲食物等必需品のほか、手漕ぎ櫂を本体１にあらかじめ備えておけば生還に一層役立つ。
【図面の簡単な説明】
【０００６】
【図１】本発明本体１の正面図
【図２】本体１に浮輪３をとりつけた正面図
【図３】一部をカットした防護シート５を示す図
【図４】蓋７をとりつけ、浮輪３を防護シート５で包む如くとりつけた本発明斜視図
【図５】バランスウエート６を示す斜視図
【符号の説明】
【０００７】１、本体    ２、とりつけ用金具    ３、浮輪    ４、ロープ
５、防護シート    ６、バランスウエート    ７、蓋
【図１】
2015120491.tif 000003
【図２】
2015120491.tif 000004
【図３】
2015120491.tif 000005
【図４】
2015120491.tif 000006
【図５】
2015120491.tif 000007